(57)【特許請求の範囲】
【請求項１】
移動端末が移動中であるのか静止中であるのかを認識する認識手段と、この認識手段で得られる情報に基づいてＩＰアドレスを動的に切り換える切換手段と、を有し、上記移動端末が移動状態にある場合においても通信におけるセッションの継続を可能とすることを特徴とする通信制御装置。
【請求項２】
上記認識手段は、移動端末が移動中若しくは静止中であるかを、移動端末によるモバイルＩＰの気付アドレスの変更頻度、ＧＰＳから受信した情報、センサによる検出結果、の少なくともいずれかにより認識することを更に特徴とする請求項１に記載の通信制御装置。
【請求項３】
特定通信相手であるか否かを判定し、その結果に基づいて上記切換手段を固定することを更に特徴とする請求項２に記載の通信制御装置。
【請求項４】
移動端末が移動中であるのか静止中であるのかを判別する移動検出部と特定通信相手を設定する特定通信相手設定部とからなるプレゼンス管理部と、このプレゼンス管理部からの移動検出結果、特定通信相手に係る設定を受け、ＩＰアドレスを動的に切り換える位置登録制御部と、を有し、
上記移動端末が移動状態にある場合においても通信におけるセッションの継続を可能とすることを特徴とする通信制御装置。
【請求項５】
移動端末のモバイルＩＰのホームアドレス、気付アドレスに基づいて当該移動端末の位置を管理する位置管理部と、
上記移動端末が移動中であるのか静止中であるのかを判別する移動検出部と特定通信相手を設定する特定通信相手設定部とからなるプレゼンス管理部と、
このプレゼンス管理部からの移動検出結果、特定通信相手に係る設定を受け、ＩＰアドレスを動的に切り換える位置登録制御部と、
を有し、上記移動端末が移動状態にある場合においても通信におけるセッションの継続を可能とすることを特徴とする通信制御装置。
【請求項６】
上記移動検出部は、移動端末が移動中若しくは静止中であるかを、移動端末によるモバイルＩＰの気付アドレスの変更頻度、ＧＰＳから受信した情報、センサによる検出結果、の少なくともいずれかにより認識することを更に特徴とする請求項４又は５のいずれかに記載の通信制御装置。
【請求項７】
移動端末のモバイルＩＰのホームアドレス、気付アドレスに基づいて当該移動端末の位置を管理する位置管理部を有すると共に、通信相手端末からの位置問い合わせに対して移動端末のホームアドレス又は気付アドレスを通知するＳＩＰサーバと、
移動端末のホームアドレス、気付アドレスにより当該移動端末の位置を管理すると共に、通信相手端末からのＩＰパケットを転送するホームエージェントと、
複数ネットワーク間を移動可能な移動端末と、
からなり、上記ＳＩＰサーバ、ホームエージェント、移動端末の少なくともいずれかが、上記移動端末が移動中であるのか静止中であるのかを判別する移動検出部と特定通信相手を設定するための特定通信相手設定部とからなるプレゼンス管理部と、このプレゼンス管理部からの移動検出結果、特定通信相手に係る設定を受け、ＩＰアドレスを動的に切り換える位置登録制御部、を有し、
上記移動端末が移動状態にある場合においても通信におけるセッションの継続を可能とすることを特徴とするモビリティネットワーク通信システム。
【請求項８】
上記位置登録制御部は、移動端末が移動中または当該移動端末の通信相手が特定通信相手である場合にはホームアドレスを上記位置管理部に位置登録し、静止中である場合には気付アドレスを上記位置管理部に位置登録することを更に特徴とする請求項７に記載のモビリティネットワーク通信システム。
【請求項９】
移動端末が移動中であるか静止中であるかを認識し、この認識の結果得られた情報に基づいてＩＰアドレスを動的に切り換え、上記移動端末が移動状態にある場合でも通信におけるセッションの継続を可能とすることを特徴とする通信制御方法。
【請求項１０】
特定通信相手であるか否かを判定し、その結果に基づいてＩＰアドレスを動的に切り換えることを更に特徴とする請求項９に記載の通信制御方法。
【発明の詳細な説明】
【０００１】
【発明の属する技術分野】
本発明は、例えば移動端末の現在の位置情報をＳＩＰサーバ、ホームエージェント等に登録することで通信の移動透過性を確保する、モビリティ制御のプロトコル選択方式に特徴を有する通信制御装置、モビリティネットワーク制御システム、通信制御方法に関する。
【０００２】
【従来の技術】
従来、ＩＰネットワーク上で移動端末がネットワーク間を移動した時に、ＩＰアドレスの管理と移動先への通信パケットの伝送を自動化するための技術としてモバイルＩＰ(Mobile IP)が検討され、標準化されている。さらに、ＩＰネットワーク上で電話の呼設定を実現するためのテキストベースのアプリケーションレイヤプロトコルとしてＳＩＰ(Session Initiation Protocol)が検討され、標準化されている。上記モバイルＩＰによれば、ＩＰレイヤで通信における移動透過性が確保される。一方、上記ＳＩＰによれば、アプリケーションレイヤで通信における移動透過性が確保される。このような点に着目して、移動端末にポリシ情報（Mobility Policy Table）を置き、通信アプリケーション(TCP又はUDP)毎にモバイルＩＰのホームアドレスＨｏＡ、気付アドレスＣｏＡのいずれを使用するのかを指定するための技術が提案されている。
【０００３】
【発明が解決しようとする課題】
しかしながら、前述したような従来技術では、ＩＰレイヤで移動透過性を確保したい場合、移動端末にモビリティ制御が必要か否かに関わらず一律に移動透過性を確保することになる。また、移動端末が静止している場合には、本来モビリティ制御が不要であるにも関わらず、ＩＰパケットはホームエージェント経由で通信され、ネットワーク資源の浪費がもたらされる。
【０００４】
その一方で、アプリケーションレイヤで移動性を確保したい場合、移動端末が別のセグメントへ移動すると新たなＩＰアドレスを位置登録する為に、通信セッションを維持することができない。また、移動端末の現在の位置を無条件に通信相手に提示してしまう為に、プライバシの侵害が懸念される。
【０００５】
本発明は、上記問題に鑑みてなされたもので、その目的とするところは、通信相手から送信されたパケットを最適経路によって移動端末へ到達させることでネットワーク資源の浪費を削減すると共に、プライバシの侵害の問題を解消し、更には移動透過性を確保して移動端末が移動しても通信セッションの維持を図ることにある。
【０００６】
【課題を解決するための手段】
上記目的を達成するために、本発明の第１の態様では、移動端末が移動中であるのか静止中であるのかを認識する認識手段と、この認識手段で得られる情報に基づいてＩＰアドレスを動的に切り換える切換手段と、を有し、上記移動端末が移動状態にある場合においても通信におけるセッションの継続を可能とすることを特徴とする通信制御装置が提供される。
本発明の第２の態様では、この第１の態様において、上記認識手段が、移動端末が移動中若しくは静止中であるかを、移動端末によるモバイルＩＰの気付アドレスの変更頻度、ＧＰＳから受信した情報、センサによる検出結果、の少なくともいずれかにより認識することを更に特徴とする通信制御装置が提供される。
本発明の第３の態様では、この第２の態様において、特定通信相手であるか否かを判定し、その結果に基づいて上記切換手段を固定することを更に特徴とする通信制御装置が提供される。
本発明の第４の態様では、移動端末が移動中であるのか静止中であるのかを判別する移動検出部と特定通信相手を設定する特定通信相手設定部とからなるプレゼンス管理部と、このプレゼンス管理部からの移動検出結果、特定通信相手に係る設定を受け、ＩＰアドレスを動的に切り換える位置登録制御部と、を有し、上記移動端末が移動状態にある場合においても通信におけるセッションの継続を可能とすることを特徴とする通信制御装置が提供される。
本発明の第５の態様では、移動端末のモバイルＩＰのホームアドレス、気付アドレスに基づいて当該移動端末の位置を管理する位置管理部と、上記移動端末が移動中であるのか静止中であるのかを判別する移動検出部と特定通信相手を設定する特定通信相手設定部とからなるプレゼンス管理部と、このプレゼンス管理部からの移動検出結果、特定通信相手に係る設定を受け、ＩＰアドレスを動的に切り換える位置登録制御部と、を有し、上記移動端末が移動状態にある場合においても通信におけるセッションの継続を可能とすることを特徴とする通信制御装置が提供される。
本発明の第６の態様では、第４又は第５の態様において、上記移動検出部は、移動端末が移動中若しくは静止中であるかを、移動端末によるモバイルＩＰの気付アドレスの変更頻度、ＧＰＳから受信した情報、センサによる検出結果、の少なくともいずれかにより認識することを更に特徴とする通信制襲う値が提供される。
本発明の第７の態様では、移動端末のモバイルＩＰのホームアドレス、気付アドレスに基づいて当該移動端末の位置を管理する位置管理部を有すると共に、通信相手端末からの位置問い合わせに対して移動端末のホームアドレス又は気付アドレスを通知するＳＩＰサーバと、移動端末のホームアドレス、気付アドレスにより当該移動端末の位置を管理すると共に、通信相手端末からのＩＰパケットを転送するホームエージェントと、複数ネットワーク間を移動可能な移動端末と、からなり、上記ＳＩＰサーバ、ホームエージェント、移動端末の少なくともいずれかが、上記移動端末が移動中であるのか静止中であるのかを判別する移動検出部と特定通信相手を設定するための特定通信相手設定部とからなるプレゼンス管理部と、このプレゼンス管理部からの移動検出結果、特定通信相手に係る設定を受け、ＩＰアドレスを動的に切り換える位置登録制御部、を有し、上記移動端末が移動状態にある場合においても通信におけるセッションの継続を可能とすることを特徴とするモビリティネットワーク通信システムが提供される。
本発明の第８の態様では、上記第７の態様において、上記位置登録制御部は、移動端末が移動中または当該移動端末の通信相手が特定通信相手である場合にはホームアドレスを上記位置管理部に位置登録し、静止中である場合には気付アドレスを上記位置管理部に位置登録することを更に特徴とする請求項８に記載のモビリティネットワーク通信システム。  
本発明の第９の態様では、移動端末が移動中であるか静止中であるかを認識し、この認識の結果得られた情報に基づいてＩＰアドレスを動的に切り換え、上記移動端末が移動状態にある場合でも通信におけるセッションの継続を可能とすることを特徴とする通信制御方法が提供される。
本発明の第１０の態様では、上記第９の態様において、特定通信相手であるか否かを判定し、その結果に基づいてＩＰアドレスを動的に切り換えることを更に特徴とする通信制御方法が提供される。
【００１０】
【発明の実施の形態】
以下、図面を参照して、本発明の実施形態について説明する。
【００１１】
先ず、本発明の第１実施形態について説明する。
【００１２】
第１実施形態は、移動端末の状況（プレゼンス情報）を検知するプレゼンス管理機能と、位置登録すべきＩＰアドレス及び特定通信相手かを判断する位置登録制御機能とを移動端末自身が保有することで、モビリティ制御方式を移動時か静止時か及び特定の通信相手か否かにより適宜選択することを特徴としている。
【００１３】
図１には、本発明の第１実施形態に係るＳＩＰサーバ１、ホームエージェント２、移動端末３からなるモビリティネットワーク制御システムの構成を示し詳細に説明する。尚、請求項記載の通信制御装置とは、第１実施形態との関係では移動端末３に相当する。
【００１４】
この図１において、ＳＩＰサーバ１は、ＩＰネットワーク上で、例えば電話の呼設定を実現するためのテキストベースのアプリケーションレイヤプロトコルに基づくものであり、例えば一般の電話サービスが有する基本的な呼設定機能のほか、着信課金機能、転送機能、発信者番号通知機能等をＩＰネットワーク上で実現するものである。このＳＩＰサーバ１は、所定のシグナリングを行うためのシグナリング部１ａと、移動端末３からのホームアドレスＨｏＡ又は気付アドレスＣｏＡを受けて当該移動端末３の位置を管理する位置管理部１ｂ、上記ホームアドレスＨｏＡ又は気付アドレスＣｏＡを蓄積するデータベース１ｃからなる。
【００１５】
そして、ホームエージェント２は、トンネリング部２ａ、移動端末３からのホームアドレスＨｏＡ又は気付アドレスＣｏＡを受けて当該移動端末３の位置を管理する位置管理部２ｂ、上記ホームアドレスＨｏＡ又は気付アドレスＣｏＡを蓄積するデータベース２ｄ、エージェント広告部２ｃを有している。
【００１６】
ここで、トンネリングとは、元のパケットに新たなIPヘッダを付加することで、元のIPヘッダ依存することなく、新たな宛先へパケットを到達させることを可能とする技術である。また、パケット到達先では付加されたIPヘッダは削除され、パケットのヘッダは元のヘッダになり、それに基づいてパケットは送信される。この一連動作を「トンネリング」と表現する。
【００１７】
移動端末３は、プレゼンス管理部３ｄを有しており、当該プレゼンス管理部３ｄは、当該移動端末３が移動中であるか静止中であるかを判別する移動検出部３ｅと、位置問い合わせに対して常にホームアドレスＨｏＡを通知する特定通信相手を設定する特定通信相手設定部３ｆとからなる。なお、上記移動検出部３ｅによる移動中か静止中かの判別は、例えばモバイルＩＰの気付アドレスＣｏＡの変更頻度やＧＰＳ、小型センサ等の利用により実現される。
【００１８】
移動端末３は、更に位置登録制御部３ａとＳＩＰクライアント部３ｂ、ＭＩＰクライアント部３ｃを有している。
【００１９】
ＭＩＰクライアント部３ｃは、ホームアドレスＨｏＡ、気付アドレスＣｏＡを位置登録制御部３ａに通知するものである。同時に、ＭＩＰクライアント部３ｃは、ホームエージェント２にもホームアドレスＨｏＡ、気付アドレスＣｏＡを通知する。位置登録制御部３ａは、プレゼンス管理部３ｄからの移動中／静止中及び特定通信相手に係る通知、及び上記ＭＩＰクライアント部３ｃからのアドレスに関する通知を受けると、ＳＩＰクライアント部３ｂに対して、ホームアドレスＨｏＡ、気付アドレスＣｏＡをＳＩＰサーバ１に通知するように命令するものである。そして、ＳＩＰクライアント部３ｂは、上記命令に従い、ホームアドレスＨｏＡ、気付アドレスＣｏＡをＳＩＰサーバ１に通知するものである。
【００２０】
ここで、ホームアドレスＨｏＡとは、移動端末が本来接続しているネットワークで使用しているアドレスをいい、気付アドレスＣｏＡとは、移動先にネットワークで使用するアドレスをいう。気付アドレスＣｏＡについては、移動先のネットワークのフォーリンエージェント（外部エージェント）ＦＡのアドレスを使用する場合や、ＤＨＣＰ等により付与されたアドレスを気付アドレスとして使用する場合とがある。但し、これらには限定されない。
【００２１】
ここで、図３を参照して、通信セッション確立までの処理の流れについて説明する。上記したような構成において、移動端末（ＭＮ）３では、プレゼンス管理部３ｄの移動検出部３ｅにより移動検出がなされる（＃１）。
【００２２】
そして、その結果に応じてホームアドレスＨｏＡ、気付アドレスＣｏＡがホームエージェント２に位置登録され（＃２）、同様にホームアドレスＨｏＡ、気付アドレスＣｏＡがＳＩＰサーバ１に位置登録される（＃３）。
【００２３】
第１実施形態では、移動端末３が移動中である場合、或いは特定通信相手（指定ＣＮ）である場合にはホームアドレスＨｏＡがＳＩＰサーバ１に位置登録され、静止中である場合には、気付アドレスＣｏＡがＳＩＰサーバ１に位置登録される。この場合、図２に示されるように、ＳＩＰサーバ１のデータベース１ｃの内容が更新される。この例では、各ＭＮ３−１，３−２，・・・毎に、ホームアドレスＨｏＡ、気付アドレスＣｏＡ、指定ＣＮ４−１，４−２，・・・のアドレスが関係付けられている。但し、このデータベース１ｃの内容は一例であり、上記ホームアドレスＨｏＡ、気付アドレスＣｏＡのフィールドは１つであってもよく、その他、種々の改良・変更が可能であることは勿論である。
【００２４】
次いで、通信相手端末（ＣＮ）４よりＳＩＰサーバ１に位置の問い合わせがなされ（＃４）、移動端末３が移動中である場合にはホームエージェント２を介した通信セッションが確立され（＃５）、移動端末３が静止中である場合には直接的な通信セッションが確立されることになる（＃６）。
【００２５】
以下、図４のフローチャートを参照して、第１実施形態に係る移動端末３による通信制御について詳細に説明する。
【００２６】
プレゼンス管理部３ｄの移動検出部３ｅは、自己（移動端末３）が移動中であるのか静止中であるのかを判別し、その判別結果を位置登録制御部３ａに通知する（ステップＳ１）。位置登録制御部３ａは、ＭＩＰクライアント部３ｃからホームアドレスＨｏＡ、気付アドレスＣｏＡの通知を受ける（ステップＳ２）。
【００２７】
次いで、位置登録制御部３ａは、上記ステップＳ１で受けた通知（移動中／静止中）に基づいて、自己（移動端末３）が移動中である場合にはＳＩＰクライアント部３ｂに対してホームアドレスＨｏＡをＳＩＰサーバ１に登録するように命令し、ＳＩＰクライアント部３ｂは、この命令に従いＳＩＰサーバ１にホームアドレスＨｏＡを登録する（ステップＳ３，Ｓ４）。
【００２８】
一方、位置登録制御部３ａは、上記ステップＳ１で受けた通知（移動中／静止中）に基づいて、自己（移動端末３）が静止中である場合にはＳＩＰクライアント部３ｂに対して気付アドレスＣｏＡをＳＩＰサーバ１に登録するように命令して、ＳＩＰクライアント部３ｂは、この命令に従いＳＩＰサーバ１に気付アドレスＣｏＡを登録する（ステップＳ３，Ｓ５）。
【００２９】
そして、位置登録制御部３ａは、ＭＩＰクライアント部３ｃにより、ホームエージェント２に対して、ホームアドレスＨｏＡ、気付アドレスＣｏＡを登録する（ステップＳ６）。尚、この登録のタイミングは、これには限定されない。
【００３０】
以上で、第１実施形態による通信制御を終了する。
【００３１】
尚、プレゼンス管理部３ｄの特定通信相手設定部３ｆで、位置問い合わせに対して常にホームアドレスＨｏＡを通知する特定の通信相手が設定された場合、通信相手のＩＰアドレス等の情報は位置登録制御部３ａに通知される。
【００３２】
そして、この特定通信相手に係る情報を受信した位置登録制御部３ａは、ＳＩＰサーバ１に対して、この通信相手からの位置問い合わせに対しては常にホームアドレスＨｏＡを通知するように位置登録することになる。
【００３３】
以上の他、ホームアドレスＨｏＡ、気付アドレスＣｏＡは、ＳＩＰサーバ１上のＤＢフィールドを更新する手法でもよいことは勿論である。
【００３４】
上記手順により、ＳＩＰクライアント機能を保有する通信相手がＳＩＰサーバ１に移動端末３の位置問い合わせをした場合、以下の通信を行う。
【００３５】
即ち、移動端末３が移動中であれば、ＳＩＰサーバ１は通信相手に対してホームアドレスＨｏＡを通知する。従って、通信相手から送信されたパケットはホームエージェント２経由で移動端末３へ到達する。この場合、モバイルＩＰにおけるホームエージェント２のトンネリング機能により移動透過性を確保し、移動端末３が移動していても通信セッションを維持することができる。
【００３６】
一方、移動端末３が静止中であれば、ＳＩＰサーバ１は通信相手に対して気付アドレスＣｏＡを通知する。従って、通信相手から送信されたパケットはホームエージェント２を経由することなく、最適経路によって移動端末３へ到達するため、ネットワーク資源の浪費を削減することができる。
【００３７】
次に、本発明の第２実施形態について説明する。
【００３８】
第２実施形態は、ホームエージェント側で通信制御する例であり、プレゼンス管理機能と位置登録制御機能とをモバイルＩＰにおけるホームエージェントに保有することで、モビリティ制御方式を、移動時であるか静止時であるか及び特定の通信相手であるかにより適宜選択することを特徴とする。
【００３９】
図５には、本発明の第２実施形態に係るＳＩＰサーバ１、ホームエージェント２、移動端末３からなるモビリティネットワーク制御システムの構成を示し詳細に説明する。尚、請求項記載の通信制御装置とは、第２実施形態との関係ではホームエージェント２に相当する。ここでは、第１実施形態（図１）と同一の構成要素については同一の符号を付し、構成上異なる部分を中心に説明する。
【００４０】
図５に示されるように、第２実施形態では、ホームエージェント２側にプレゼンス管理部２ｇ、位置登録制御部２ｅ、ＳＩＰクライアント部２ｆが組込まれている。そして、プレゼンス管理部２ｇは、移動検出部２ｈ、特定通信相手設定部２ｉからなる。これら各部の基本的な作用は、第１実施形態で先に説明した通りであるので、ここでは重複した説明を省略する。
【００４１】
ここで、図６を参照して、通信セッション確立までの処理の流れについて説明すると、上記構成において、移動端末（ＭＮ）３では、ホームエージェント２の位置管理部２ｂに対して位置登録がなされる（＃１１）。ホームエージェント２では、プレゼンス管理部２ｇの移動検出部２ｈにより移動検出がなされ（＃１２）、その結果に応じて位置登録制御部２ｅによる位置登録制御がなされ、ホームアドレスＨｏＡがＳＩＰサーバ１に自動登録される（＃１３）。
【００４２】
この場合も、図２に示されるように、ＳＩＰサーバ１のデータベース１ｃの内容が更新される。次いで、通信相手端末（ＣＮ）４よりＳＩＰサーバ１に位置の問い合わせがなされると（＃１４）、移動端末３が移動中である場合或いは特定の通信相手（指定ＣＮ）である場合には、ホームエージェント２を介した通信セッションが確立され（＃１５）、移動端末３が静止中である場合には直接的な通信セッションが確立されることになる（＃１６）。
【００４３】
以下、図７のフローチャートを参照して、第２実施形態に係るホームエージェント２による通信制御について詳細に説明する。
【００４４】
先ず、プレゼンス管理部２ｇの移動検出部２ｈが移動端末３が移動中であるのか静止中であるのかを判別し、その判別結果を位置登録制御部２ｅに通知する（ステップＳ１１）。位置登録制御部２ｅは、位置管理部２ｂからホームアドレスＨｏＡ、気付アドレスＣｏＡの通知を受ける（ステップＳ１２）。
【００４５】
次いで、位置登録制御部２ｅは、ステップＳ１１で受けた通知（移動中／静止中）に基づいて、移動端末３が移動中である場合にはＳＩＰクライアント部２ｆに対してホームアドレスＨｏＡをＳＩＰサーバ１に登録するように命令し、ＳＩＰクライアント部２ｆは、この命令に従いＳＩＰサーバ１にホームアドレスＨｏＡを登録する（ステップＳ１３，Ｓ１４）。
【００４６】
一方、位置登録制御部２ｅは、上記ステップＳ１１で受けた通知（移動中／静止中）に基づいて、移動端末３が静止中である場合にはＳＩＰクライアント部２ｆに対して気付アドレスＣｏＡをＳＩＰサーバ１に登録するように命令し、ＳＩＰクライアント部２ｆは、この命令に従いＳＩＰサーバ１に気付アドレスＣｏＡを登録する（ステップＳ１３，Ｓ１５）。
【００４７】
そして、位置管理部２ｂは、ＭＩＰクライアント部３ｃからの、ホームアドレスＨｏＡ、気付アドレスＣｏＡの登録を受ける（ステップＳ１６）。
【００４８】
以上で、第２実施形態による通信制御を終了する。
【００４９】
尚、プレゼンス管理部２ｇの特定通信相手設定部２ｉで、位置問い合わせに対して常にホームアドレスＨｏＡを通知する特定の通信相手が設定された場合、通信相手のＩＰアドレス等の情報は位置登録制御部２ｅに通知される。
【００５０】
そして、これら情報を受信した位置登録制御部２ｅは、ＳＩＰサーバ１に対して、この特定通信相手からの位置問い合わせに対しては常にホームアドレスＨｏＡを通知するように位置登録することになる。
【００５１】
以上の他、ホームアドレスＨｏＡ、気付アドレスＣｏＡは、ＳＩＰサーバ１上のＤＢフィールドを更新する手法でもよいことは同様である。
【００５２】
上記手順により、ＳＩＰクライアント機能を保有する通信相手がＳＩＰサーバ１に移動端末３の位置問い合わせをした場合、以下の通信を行う。
【００５３】
即ち、移動端末３が移動中であれば、ＳＩＰサーバ１は通信相手に対してホームアドレスＨｏＡを通知する。従って、通信相手から送信されたパケットはホームエージェント２経由で移動端末３へ到達する。これにより、モバイルＩＰにおけるホームエージェント３のトンネリング機能により移動透過性を確保し、移動端末３が移動していても通信セッションを維持することができる。
【００５４】
一方、移動端末３が静止中であれば、ＳＩＰサーバ１は通信相手に対して気付アドレスＣｏＡを通知する。従って、通信相手から送信されたパケットはホームエージェント２を経由することなく、最適経路によって移動端末３へ到達するため、ネットワーク資源の浪費を削減することができる。
【００５５】
以上説明したように、本発明の第１及び第２実施形態によれば、モバイルＩＰにおけるホームエージェントのトンネリング機能により移動透過性を担保し、移動端末が移動していても通信セッションを維持することができる。また、最適経路の選択により、ネットワーク資源の浪費を削減することができる。
【００５６】
以上、本発明の実施形態について説明したが、本発明はこれに限定されることなく、その趣旨を逸脱しない範囲で種々の改良・変更が可能であることは勿論である。例えば、上記プレゼンス管理機能、位置登録制御機能等をＳＩＰサーバに実装させるように構成してもよい。この場合には、請求項記載の通信制御装置とはＳＩＰサーバに相当することになる。
【００５７】
【発明の効果】
以上詳述したように、本発明によれば、通信相手から送信されたパケットを最適経路によって移動端末へ到達させることでネットワーク資源の浪費を削減すると共に、プライバシの侵害の問題を解消し、更には移動透過性を担保して移動端末が移動しても通信セッションの維持を図る通信制御装置、モビリティネットワーク制御システム、通信制御方法を提供することができる。
【図面の簡単な説明】
【図１】本発明の第１実施形態に係るＳＩＰサーバ１、ホームエージェント２、移動端末３からなるモビリティネットワーク制御システムの構成を示す図である。
【図２】ＳＩＰサーバ１のデータベース１ｃの一例を示す図である。
【図３】本発明の第１実施形態に係るモビリティネットワーク制御システムによる通信セッション確立までの処理の流れを示す図である。
【図４】本発明の第１実施形態に係る移動端末３による通信制御について詳細に説明するためのフローチャートである。
【図５】本発明の第２実施形態に係るＳＩＰサーバ１、ホームエージェント２、移動端末３からなるモビリティネットワーク制御システムの構成を示す図である。
【図６】本発明の第２実施形態に係るモビリティネットワーク制御システムによる通信セッション確立までの処理の流れを示す図である。
【図７】本発明の第２実施形態に係るホームエージェント２による通信制御について詳細に説明するためのフローチャートである。
【符号の説明】
１・・・ＳＩＰサーバ、１ａ・・・シグナリング部、１ｂ・・・位置管理部、１ｃ・・・ＤＢ、２・・・ホームエージェント、２ａ・・・トンネリング部、２ｂ・・・位置管理部、２ｃ・・・エージェント広告部、２ｄ・・・ＤＢ、２ｅ・・・位置登録制御部、２ｇ・・・プレゼンス管理部、２ｈ・・・移動検出部、２ｉ・・・特定通信相手設定部、３・・・移動端末、３ａ・・・位置登録制御部、３ｂ・・・ＳＩＰクライアント部、３ｃ・・・ＭＩＰクライアント部、３ｄ・・・プレゼンス管理部、３ｅ・・・移動検出部、３ｆ・・・特定通信相手設定部、４・・・ＣＮ。
【図１】
0003729816.tif 000002
【図２】
0003729816.tif 000003
【図３】
0003729816.tif 000004
【図４】
0003729816.tif 000005
【図５】
0003729816.tif 000006
【図６】
0003729816.tif 000007
【図７】
0003729816.tif 000008